(57)【要約】【課題】つゆの袋を開けるときに手や衣服がつゆで汚れるのを防ぐことができるインスタント食品用容器を提供する。【解決手段】容器本体１１が、上部に円形の開口２１を有し、内部に麺を収納可能である。蓋１２が、内側につゆ収納部２５と調味料収納部２６とを有して、開口２１に回転可能かつ着脱可能に取り付けられている。密封シート１４が、つゆ収納部２５を密封している。密封シート１４は、開口２１に沿って回転させたときつゆ収納部２５を開放するよう、蓋１２および容器本体１１に取り付けられている。引張シート１３が、容器本体１１および蓋１２の外側に突出する突出部２８を有して調味料収納部２６を密封している。引張シート１３は、突出部２８を引っ張ったとき調味料収納部２６を開放するよう、蓋１２に取り付けられている。【選択図】図１
0003112836.tif 000002
【実用新案登録請求の範囲】
【請求項１】
容器本体と蓋と密封シートと引張シートとを有し、
前記容器本体は上部に円形の開口を有し、内部に麺を収納可能であり、
前記蓋は内側につゆ収納部と調味料収納部とを有して前記開口に回転可能かつ着脱可能に取り付けられ、
前記密封シートは前記つゆ収納部を密封しており、前記蓋を前記開口に沿って回転させたとき前記つゆ収納部を開放するよう前記蓋および前記容器本体に取り付けられ、
前記引張シートは前記容器本体および前記蓋の外側に突出する突出部を有して前記調味料収納部を密封しており、前記突出部を引っ張ったとき前記調味料収納部を開放するよう前記蓋に取り付けられていることを、
特徴とするインスタント食品用容器。
【考案の詳細な説明】
【技術分野】
【０００１】
本考案は、インスタント食品用容器に関する。
【背景技術】
【０００２】
従来、つゆをつけて食べる容器入りのインスタント食品では、容器の中に袋入りのつゆが収納されており、つゆの袋を開けて容器に入れ、調理済みの麺をつゆにつけて食べるようになっている（例えば、特許文献１参照）。
【０００３】
【特許文献１】特開平６−３３６２６９号公報
【考案の開示】
【考案が解決しようとする課題】
【０００４】
しかしながら、特許文献１記載の容器入りのインスタント食品は、つゆの袋を開けるとき手につゆが付いて汚れやすいという課題があった。また、つゆの袋を開けるとき注意して開けないと、袋からつゆが飛び散り、衣服や周囲を汚すおそれがあるという課題もあった。
【０００５】
本考案は、このような従来の課題に着目してなされたもので、つゆの袋を開けるときに手や衣服がつゆで汚れるのを防ぐことができるインスタント食品用容器を提供することを目的とする。
【課題を解決するための手段】
【０００６】
上記目的を達成するために、本考案に係るインスタント食品用容器は、容器本体と蓋と密封シートと引張シートとを有し、前記容器本体は上部に円形の開口を有し、内部に麺を収納可能であり、前記蓋は内側につゆ収納部と調味料収納部とを有して前記開口に回転可能かつ着脱可能に取り付けられ、前記密封シートは前記つゆ収納部を密封しており、前記蓋を前記開口に沿って回転させたとき前記つゆ収納部を開放するよう前記蓋および前記容器本体に取り付けられ、前記引張シートは前記容器本体および前記蓋の外側に突出する突出部を有して前記調味料収納部を密封しており、前記突出部を引っ張ったとき前記調味料収納部を開放するよう前記蓋に取り付けられていることを、特徴とする。
【０００７】
本考案に係るインスタント食品用容器は、容器本体の内部に麺を入れられ、つゆ収納部につゆを入れて密封シートで密封され、調味料収納部に調味料を入れて引張シートで密封され、容器本体の開口に蓋が取り付けられる。通常、この状態か、さらにポリエチレンフィルムで覆った状態で出荷される。麺を食べる際には、まず、好みに応じて、引張シートの突出部を引っ張って調味料収納部を開放し、その内部の調味料を容器本体の内部に落とす。次に、蓋を開口に沿って回転させてつゆ収納部を開放し、その内部のつゆを容器本体の内部に流し入れる。このように、蓋が閉じた状態でつゆを容器本体に入れることができるので、つゆの袋を開けるときに手や衣服がつゆで汚れるのを防ぐことができる。蓋を取れば、容器本体の内部でつゆと調味料とがかかった麺を食べることができる。
【０００８】
本考案に係るインスタント食品用容器では、麺は調理済みで、つゆをかけるだけで食べられるようになっていることが好ましい。麺の種類は、蕎麦の麺、ラーメンの麺、うどんの麺、その他いかなる麺であってもよい。つゆ収納部は、蓋の内側で開口の縁部に隣接して設けられ、密封シートは、破れやすい素材から成り、開口の縁部で容器本体に貼り付けられ、つゆ収納部を密封するよう蓋に貼り付けられていることが好ましい。この場合、蓋を開口に沿って回転させると、密封シートがねじれて破れ、つゆ収納部を容易に開放することができる。また、密封シートは、所定の位置で確実に破れるよう、あらかじめ薄い切込みを有していることが好ましい。密封シートは、蓋から剥がれる前に容器本体から剥がれるよう容器本体より蓋の側により強く貼り付けられていることが好ましい。その場合、蓋を容器本体から外したとき、密封シートが容器本体から剥がれ、麺を食べやすい。つゆ収納部に収容されるつゆは、蕎麦・うどん・ラーメンの麺つゆのほか、焼きそばのソースであってもよい。
【０００９】
調味料収納部は、蓋の内側でつゆ収納部に隣接していても、離れて設けられていてもよく、また、つゆ収納部に取り囲まれるように設けられていてもよい。調味料収納部は、複数種類の調味料を別々に収納可能に複数から成っていてもよい。この場合、各調味料の風味を損なわず、好みの調味料を選んで入れることができる。引張シートは、突出部が容器本体と蓋との隙間から、容器本体および蓋の外側に突出していることが好ましい。引張シートは、突出部を引っ張ったとき、蓋の外側に抜けず、蓋に付着したままであることが好ましい。この場合、引張シートと蓋とがバラバラに分離せず、引張シートを蓋とともに捨てやすい。
【考案の効果】
【００１０】
本考案によれば、つゆの袋を開けるときに手や衣服がつゆで汚れるのを防ぐことができるインスタント食品用容器を提供することができる。
【考案を実施するための最良の形態】
【００１１】
以下、図面に基づき本考案の実施の形態について説明する。
図１および図２は、本考案の実施の形態のインスタント食品用容器を示している。
図１および図２に示すように、インスタント食品用容器１０は、容器本体１１と蓋１２と４枚の引張シート１３と密封シート１４とを有している。
【００１２】
図１および図２に示すように、容器本体１１は、透明なポリエチレンテレフタレート（ＰＥＴ）製で、上部に円形の開口２１を有している。容器本体１１は、断面形状が円環状で、開口２１から底部１１ａに向かって径が徐々に小さくなるよう形成されている。容器本体１１は、開口２１の周囲に、側方に突出した縁部２２を有している。図２に示すように、縁部２２は、内周に雄ネジ部２２ａを有している。容器本体１１は、内部に麺を収納可能である。
【００１３】
図１および図２に示すように、蓋１２は、透明なＰＥＴ製で、周囲から中央部１２ａにかけて高くなったドーム状に形成されている。蓋１２は、下端部１２ｂの径が容器本体１１の開口２１の径と等しく、下端部１２ｂの周囲に側方に突出した取付部２３を有している。取付部２３は、蓋１２を開口２１に被せたとき、容器本体１１の縁部２２に覆い被さるようになっている。図２に示すように、取付部２３は、外周に縁部２２の雄ネジ部２２ａと螺合する雌ネジ部２３ａを有している。蓋１２は、取付部２３の雌ネジ部２３ａを縁部２２の雄ネジ部２２ａに螺合させて、開口２１に回転可能かつ着脱可能に取り付けられている。
【００１４】
図１および図２に示すように、蓋１２は、中央部１２ａの内側に仕切り部材２４が貼り付けられている。蓋１２は、仕切り部材２４の周囲につゆ収納部２５を有し、仕切り部材２４に４つの調味料収納部２６を有している。つゆ収納部２５は、蓋１２の内側で、開口２１の縁部２２に隣接して設けられている。各調味料収納部２６は、下方に投入口２７を有し、蓋１２の内側で、つゆ収納部２５に取り囲まれるように設けられている。蓋１２は、下端部１２ｂよりやや中央部１２ａ寄りの位置に、４つの取出用切れ目１２ｃを有している。
【００１５】
図１および図２に示すように、各引張シート１３は、ビニール製で、細長く形成されている。各引張シート１３は、一端１３ａが投入口２７の周囲に貼り付けられて各調味料収納部２６を密封している。各引張シート１３は、他端に、各取出用切れ目１２ｃから容器本体１１および蓋１２の外側に突出した突出部２８を有している。各引張シート１３は、突出部２８を引っ張ったとき各調味料収納部２６を開放するようになっている。また、引張シート１３は、突出部２８を引っ張ったとき、蓋１２の外側に抜けず、蓋１２に付着したままとなるようになっている。
【００１６】
図１および図２に示すように、密封シート１４は、破れやすいポリエチレンフィルムまたはポリエチレンフィルムでコーティングした紙から成り、所定の幅を有する円環形状を成している。密封シート１４は、外周部１４ａが、図２（ａ）に示すように、各引張シート１３の位置で蓋１２の内側の各取出用切れ目１２ｃより中央部１２ａ寄りの位置に貼り付けられ、図２（ｂ）に示すように、その他の位置で容器本体１１の開口２１の内縁に貼り付けられている。密封シート１４は、容器本体１１より蓋１２の側により強く貼り付けられており、蓋１２から剥がれる前に容器本体１１から剥がれるようになっている。密封シート１４は、内周部１４ｂが仕切り部材２４の側部下端に貼り付けられている。密封シート１４は、つゆ収納部２５を密封しており、蓋１２を開口２１に沿って回転させたとき、所定の位置で確実に破れてつゆ収納部２５を開放するよう、あらかじめ複数の薄い切込み２９が設けられている。
【００１７】
次に、作用について説明する。
インスタント食品用容器１０は、容器本体１１の内部に麺を入れられ、つゆ収納部２５につゆを入れて密封シート１４で密封され、各調味料収納部２６に調味料を入れて各引張シート１３で密封され、容器本体１１の開口２１に蓋１２が取り付けられる。通常、この状態か、さらにポリエチレンフィルムで覆った状態で出荷される。麺は調理済みで、つゆをかけるだけで食べられるようになっている。各調味料収納部２６には、ゴマやネギ、紅しょうがなど４種類の調味料が別々に収納されている。
【００１８】
麺を食べる際には、まず、好みに応じて、引張シート１３の突出部２８を引っ張って調味料収納部２６を開放し、その内部の調味料を容器本体１１の内部に落とす。このとき、各調味料収納部２６に、各調味料が別々に収納されているため、各調味料の風味を損なわず、好みの調味料を選んで入れることができる。次に、蓋１２を開口２１に沿って回転させてつゆ収納部２５を開放し、その内部のつゆを容器本体１１の内部に流し入れる。このとき、蓋１２を開口２１に沿って回転させると、密封シート１４がねじれて切込み２９の位置で確実に破れるため、つゆ収納部２５を容易に開放することができる。このように、インスタント食品用容器１０は、蓋１２が閉じた状態でつゆを容器本体１１に入れることができるので、つゆの袋を開けるときに手や衣服がつゆで汚れるのを防ぐことができる。
【００１９】
さらに、蓋１２を容器本体１１に対して回転させ、蓋１２を容器本体１１から外すと、密封シート１４は蓋１２に張り付いたまま容器本体１１から剥がれ、麺を食べやすくなっている。蓋１２を取ったとき、容器本体１１の内部で、麺にはつゆと調味料とがかかった状態で、そのまま食べることができる。食べ終わった後の容器は、密封シート１４が蓋１２に張り付いたままで引張シート１３も蓋１２に付着したままのため、それらをまとめて捨てることができ、ゴミ処理が容易である。
【図面の簡単な説明】
【００２０】
【図１】本考案の実施の形態のインスタント食品用容器を示す（ａ）平面図、（ｂ）正面図である。
【図２】図１に示すインスタント食品用容器の（ａ）Ａ−Ａ線断面図、（ｂ）Ｂ−Ｂ線断面図である。
【符号の説明】
【００２１】
１０  インスタント食品用容器
１１  容器本体
１２  蓋
１３  引張シート
１４  密封シート
２１  開口
２２  縁部
２３  取付部
２４  仕切り部材
２５  つゆ収納部
２６  調味料収納部
２７  投入口
２８  突出部
２９  切込み
【図１】
0003112836.tif 000003
【図２】
0003112836.tif 000004